(57)【要約】【課題】第一及び第二日車の回転の位相を容易且つ確実に合せ得るカレンダ機構及びこれを備えたアナログ式時計の提供。【解決手段】アナログ式時計２のカレンダ機構１は、一の位の日付を表示する第一日文字表示部４３、第一日車歯車部４２及び無端リング状のカム面を規定する駆動カム部４４を備えた第一日車４０と、一端部６４が駆動カム部に当接する従動レバー部６３及び先端部に第一扇形歯車部６１を備えた作動レバー部６２を具備し、従動レバー部に従って作動レバー部が回動される駆動カムレバー６０と、十の位の日付を表示する第二日文字表示部５３及び第一の扇形歯車部と噛合した第二扇形歯車部５２を備え、回転可能な第二日車５０とを有する。第一扇形歯車部６１及び第二の扇形歯車部５２は、第一日車４０及び第二日車５０の回転の位相が合う状態において選択的に噛合される特定の歯部６８，５８を有する。【選択図】図２
2011089847.tif 000002
【特許請求の範囲】
【請求項１】
日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備え、第一の回転中心軸線のまわりで回転可能な第一日車と、
一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、
日付のうち十の位の日付を表示する第二日文字表示部、及び前記第一の扇形歯車部と噛合した第二の扇形歯車部を備え、第二の回転中心軸線のまわりで回転可能な第二日車と
を有するカレンダ機構であって、
第一の扇形歯車部及び第二の扇形歯車部は、第一日車及び第二日車の回転の位相が合う状態において選択的に噛合される特定の歯部を有する
カレンダ機構。
【請求項２】
第一及び第二の扇形歯車部の夫々は、扇の少なくとも一部の円弧部において他の円弧部とはピッチの異なる歯部を前記特定の歯部として有する請求項１に記載のカレンダ機構。
【請求項３】
前記特定の歯部のピッチは、該特定の歯部以外の歯部のピッチよりも小さい請求項２に記載のカレンダ機構。
【請求項４】
第一日車が０１〜０９の間の日を表す回動位置にある際に従動レバー部の前記一端部が駆動カム部に当接しているとき、第一の扇形歯車部及び第二の扇形歯車部が、前記特定の歯部で相互に噛合するように構成されている請求項１から３までのいずれか一つの項に記載のカレンダ機構。
【請求項５】
第一及び第二の扇形歯車部は、各扇の円弧の一端に前記特定の歯部を備える請求項１から４までのいずれか一つの項に記載のカレンダ機構。
【請求項６】
前記第一及び第二の回転中心軸線が共通の回転中心軸線からなり、第二日車を該共通の回転中心軸線のまわりの一方の向きに偏倚させる弾性偏倚力を及ぼす回転規制機構を有する請求項１から５までのいずれか一つの項に記載のカレンダ機構。
【請求項７】
前記回転規制機構が、ばねトルク受部を備えると共に駆動カムレバーに一体的に係合された回転規制レバーと、回転規制レバーのばねトルク受部に一方向のトルクを付与する弾性手段とを有する請求項６に記載のカレンダ機構。
【請求項８】
前記回転規制レバーが前記第二の扇形歯車部と噛合する別の扇形歯車部を備える請求項７に記載のカレンダ機構。
【請求項９】
前記別の扇形歯車部が、前記第一の扇形歯車部と一致する形状の扇形歯車部である請求項８に記載のカレンダ機構。
【請求項１０】
請求項１から９までのいずれか一つの項に記載のカレンダ機構を備えたアナログ式時計。
【発明の詳細な説明】
【技術分野】
【０００１】
本発明は、カレンダ機構及びこれを備えたアナログ式時計に係り、より詳しくは、一の位の日付と十の位の日付とが別々の日車で表示され結果として日付を大きな文字で表示し得るいわゆるビッグデイトの形態のカレンダ機構及びこれを備えたアナログ式時計に係る。
【背景技術】
【０００２】
ビッグデイトの形態のカレンダ機構として、日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備えた第一日車と、一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、日付のうち十の位の日付を表示する第二日文字表示部、及び前記第一の扇形歯車部と噛合した第二の扇形歯車部を備えた第二日車とを有するカレンダ機構は、提案されている（例えば、特許文献１）。
【０００３】
しかしながら、この特許文献１に提案されているカレンダ機構では、駆動カムレバーの従動レバー部の前記一端部が第一日車の駆動カム部の特定のカム面部（例えば０１〜０９の日に対応する領域）に係合する状態にある際に、該状態に応じて第一及び第二の扇形歯車部が夫々の特定の位置にある歯部で相互に噛合することが不可欠である（相互の回転位相が合わされることが不可欠である）にもかかわらず、一歯でもずれると当該条件が満たされない状態（不一致状態）で第一及び第二日車並びに駆動カムレバーが組付けられてしまい、当該不一致状態のカレンダ機構では、第二日車の日文字ずれとなって適切な日付が表示されず、「３２」日〜「３９」日の如きあり得ない日付が表示されることになる。
【先行技術文献】
【特許文献】
【０００４】
【特許文献１】特開２００７ー２１８８５６号公報
【発明の概要】
【発明が解決しようとする課題】
【０００５】
本発明は前記した点に鑑みなされたものであって、その目的とするところは、第一及び第二日車の回転の位相を容易且つ確実に合わせ得るカレンダ機構及び該カレンダ機構を備えたアナログ式時計を提供することにある。
【課題を解決するための手段】
【０００６】
本発明のカレンダ機構は、前記目的を達成すべく、日付のうち一の位の日付を表示する全体として環状の第一日文字表示部、該第一日文字表示部の内周に形成されトルクを受ける環状の第一日車歯車部、及び第一日文字表示面部の背面側に形成され無端リング状のカム面を規定する駆動カム部を備え、第一の回転中心軸線のまわりで回転可能な第一日車と、一端部がカム従節として駆動カム部に当接する従動レバー部及び該従動レバー部と一体的な作動レバー部であって先端部に第一の扇形歯車部を備えたものを具備し、前記一端部が駆動カム部のカム面に当接した状態で従動レバー部が回動される際に該従動レバー部の回動に応じて作動レバー部の第一の扇形歯車部が回動される駆動カムレバーと、日付のうち十の位の日付を表示する第二日文字表示部、及び前記第一の扇形歯車部と噛合した第二の扇形歯車部を備え、第二の回転中心軸線のまわりで回転可能な第二日車とを有するカレンダ機構であって、第一の扇形歯車部及び第二の扇形歯車部は、第一日車及び第二日車の回転の位相が合う状態において選択的に噛合される特定の歯部を有する。
【０００７】
本発明のカレンダ機構では、「第一の扇形歯車部及び第二の扇形歯車部は、第一日車及び第二日車の回転の位相が合う状態において選択的に噛合される特定の歯部を有する」ので、駆動カムレバーの従動レバー部の前記一端部が第一日車の駆動カム部の特定の位置に係合する状態において、第一の扇形歯車部の特定の歯部と第二の扇形歯車部の特定の歯部を噛合させるだけで、第一及び第二の歯車部を相互に誤りなく且つ容易に位置決めし、第一及び第二日車を回転の位相が合う状態に誤りなく且つ容易に位置決めし得る。なお、所望ならば、位相の合った状態（正規の位置）以外では、一切噛合わないようにしてもよい。
【０００８】
以上において、第一日車及び第二日車は、典型的には、同心で、第一の回転軸線と第二の回転軸線は一致する。但し、所望ならば、両者が異なっていてもよい。
【０００９】
また、以上において、駆動カムレバーの従動レバー部と第一の扇形歯車部とは、典型的には、一体である。但し、所望ならば、両者が、一体でなくてもよい。
【００１０】
本発明のカレンダ機構では、典型的には、第一及び第二の扇形歯車部の夫々は、扇の少なくとも一部の円弧部において他の円弧部とはピッチの異なる歯部を前記特定の歯部として有する。
【００１１】
この場合、第一の扇形歯車部の扇の少なくとも一部の円弧部にあり他の円弧部とはピッチの異なる歯部が、第一の扇形歯車部の前記特定の歯部からなり、第二の扇形歯車部の扇の少なくとも一部の円弧部にあり他の円弧部とはピッチの異なる歯部が、第二の扇形歯車部の前記特定の歯部からなることになる。この場合、ピッチの相違の故に、第一及び第二の扇形歯車部は夫々の特定の歯部において選択的に噛合されて相互に位置決めされ得る。但し、所望ならば、特定の歯部が、ピッチの代わりに歯形で規定されてもよい。ここで、歯形は、歯部や該歯部間の谷部ないし凹部の幅や形によって規定され得る。
【００１２】
本発明のカレンダ機構では、典型的には、前記特定の歯部のピッチは、該特定の歯部以外の歯部のピッチよりも小さい。
【００１３】
その場合、小ピッチの歯部同士が噛合う位置のみにおいて第一及び第二日車の位相が合う。但し、例えば、歯部と該歯部間の溝部との大きさが同じであるような場合には、所望ならば、前記特定の歯部のピッチが該特定の歯部以外の歯部のピッチよりも小さい代わりに大きくてもよい。
【００１４】
本発明のカレンダ機構では、典型的には、第一日車が０１〜０９の間の日を表す回動位置にある際に従動レバー部の前記一端部が駆動カム部に当接しているとき、第一の扇形歯車部及び第二の扇形歯車部が、前記特定の歯部で相互に噛合するように構成されている。
【００１５】
ここで、駆動カム部が、０１〜０９の間の日に対応する第一円弧状カム面、１０〜１９の間の日に対応する第二円弧状カム面、２０〜２９の間の日に対応する第三円弧状カム面、及び３０〜３１の間の日に対応する第四円弧状カム面を有し、第一〜第四円弧状カム面の半径が漸次増大又は減少するような場合において、第一及び第二の扇形歯車部の扇の円弧のうち一端から他の領域までが日表示の切り換えに利用されるときは、第一及び第二の扇形歯車部は、各扇の円弧の一端に前記特定の歯部を備えることになる。但し、第一及び第二の扇形歯車部の扇の円弧のうち中間部分だけを日表示の切り換えに利用するときは、第一及び第二の扇形歯車部は、各扇の円弧の中間部分の一端に前記特定の歯部を備えることになる。
【００１６】
本発明のカレンダ機構では、典型的には、第一及び第二の扇形歯車部は、各扇の円弧の一端に前記特定の歯部を備える。
【００１７】
ここで、例えば、駆動カム部が上述のような第一〜第四の円弧状カム面を有し、第一〜第四円弧状カム面の半径が漸次増大又は減少するような場合には、第一日車が０１〜０９の間の日を表す回動位置にある際に従動レバー部の前記一端部が駆動カム部に当接しているとき、第一の扇形歯車部及び第二の扇形歯車部が、前記特定の歯部で相互に噛合することになる。
【００１８】
本発明のカレンダ機構では、典型的には、前記第一及び第二の回転中心軸線が共通の回転中心軸線からなり、第二日車を該共通の回転中心軸線のまわりの一方の向きに偏倚させる弾性偏倚力を及ぼす回転規制機構を有する。
【００１９】
この場合、第二日車の位置ズレが生じる虞れが最低限に抑えられ得る。なお、第一日車は、該第一日車の歯車部に対して躍制動作を行う日ジャンパによって位置決めされ得る。
【００２０】
本発明のカレンダ機構では、典型的には、前記回転規制機構が、ばねトルク受部を備えると共に駆動カムレバーに一体的に係合された回転規制レバーと、回転規制レバーのばねトルク受部に一方向のトルクを付与する弾性手段とを有する。
【００２１】
この場合、第二日車が、弾性手段によって、回転規制レバーを介して正確に位置決めされ得る。但し、弾性手段が、回転規制レバーを介して第二日車に直接的に偏移力を及ぼす代わりに、回転規制レバーから駆動カムレバーを介して第二日車に偏移力を及ぼすようにしてもよい。ここで、弾性手段は、典型的には、地板に取付けられた板ばねからなる。但し、他のばねなどであってもよい。
【００２２】
本発明のカレンダ機構では、典型的には、前記回転規制レバーが前記第二の扇形歯車部と噛合する別の扇形歯車部を備える。
【００２３】
その場合、弾性手段が、回転規制レバーを介して第二日車に直接的に偏移力を及ぼす。
【００２４】
本発明のカレンダ機構では、典型的には、前記別の扇形歯車部が、前記第一の扇形歯車部と一致する形状の扇形歯車部である。
【００２５】
その場合、前記別の扇形歯車部は、駆動カムレバーの第一の扇形歯車部と重なった状態で第二の扇形歯車部に噛合して、動作する。但し、回転規制レバーを駆動カムレバーに対して相対変位可能に組み込む場合には、第二の扇形歯車部が第一の扇形歯車部と噛合している部位（円弧の周方向部位）とは別の部位（円弧の周方向部位）において前記別の扇形歯車部が第二の扇形歯車部に噛合していてもよい。
【００２６】
本発明のアナログ式時計は、上述のようなカレンダ機構を備える。
【００２７】
その場合、第一及び第二の扇形歯車部の特定の歯部を相互に選択的に噛合わせるだけで、第一及び第二日車の位相を容易且つ確実に合わせ得る。アナログ式時計としては、電子時計であっても機械式時計であってもよい。
【図面の簡単な説明】
【００２８】
【図１】本発明の好ましい一実施例のカレンダ機構を備えた本発明の好ましい一実施例のアナログ式時計について、該時計の本体部を文字板側から見た平面説明図。
【図２】図１のアナログ式時計のカレンダ機構を文字板側から見た平面説明図。
【図３】図１のアナログ式時計の本体部を裏蓋側から見た背面説明図。
【図４】図１のアナログ式時計の本体部のうち、指針部とカレンダ機構の一部を示す断面説明図。
【図５】図１のアナログ式時計の輪列及びカレンダ機構の概略の関連を示したブロック図。
【図６】図１のアナログ式時計の文字板側から見た外観を示した平面説明図。
【発明を実施するための形態】
【００２９】
本発明の好ましい一実施の形態を添付図面に示した好ましい一実施例に基づいて説明する。
【実施例】
【００３０】
本発明の好ましい一実施例のカレンダ機構１を備えた本発明の好ましい一実施例のアナログ式時計２は、概ね図３及び図４に示したような構造の時計本体ないしムーブメント３を有する。
【００３１】
アナログ式時計２のムーブメント３は、主として図４からわかるように、中心軸線Ｃのまわりで回転自在な時車１１、分車１２及び秒車１３を有する。なお、外観を示す図６において、６ａはりゅうずである。時車１１、分車１２及び秒車１３の歯車１１ａ，１１ｂ，１２ａ，１２ｂ，１３ａ，１３ｂは、図３に示した日の裏車１４ａ，三番車１４ｂ及び五番車１４ｃの如き輪列１４を介して相互に噛合されている。時車１１の筒１１ｃの文字板５側の先端部には時針１１ｄが取付けられ、分車１２の筒１２ｃの先端部には分針１２ｄが取付けられ、秒車１３の軸ないし真１３ｃの先端部には秒針１３ｄが取付けられている。分車１２を構成する分歯車１２ａは筒１２ｃと一体的な分かな１２ｂに対してスリップ可能に係合している。１５は中心パイプである。ここで、１６は、ムーブメント３の基板をなす地板であり、１７は輪列受である。分車１２の歯車１２ａ，１２ｂや秒車１３の歯車１３ａ，１３ｂは、地板１６と輪列受１７との間に配置され、時車ないし筒車１１の歯車１１ａ，１１ｂは地板１６の文字板５側に配置されている。筒車１１の小歯車１１ｂは、日回しかなとして、日回し車３１（図２）の日回し歯車３１ａと噛合する日送り歯車になっている。図３において、１８は巻真６のＡ１，Ａ２方向の出入れに応じて回動される規制レバーである。
【００３２】
図３に示したような電子時計すなわちクォーツ式の時計である場合、アナログ式時計２は、電池２１から給電されて発振動作をする水晶振動子ないしこれを含む水晶缶２２及び時計用集積回路２３ａを含む回路ブロック２３や、輪列１４等を介して指針１１ｄ，１２ｄ，１３ｄを回転させるモータ２４を有する。モータ２４は、ステータ２４ａ、コイルブロック２４ｂ及びロータ２４ｃを備える。２６は電池マイナス端子、２７は回路押え板である。
【００３３】
アナログ式時計２のカレンダ機構１は、第一日車４０と、第二日車５０と、駆動カムレバー６０と、回転規制機構７０とを有する。
【００３４】
第一日車４０は、第一の回転中心軸線としての中心軸線Ｃのまわりで回転可能に配置された環状体４１と、該環状体４１の厚さ方向にずれた位置において段差部を介して該環状体４１の内周縁につながった第一日車歯車部４２と、環状体４１の文字板５側の主面部からなる第一日文字表示面部４３と、環状体４１の裏蓋に面する主面側で且つ環状体４１の内周縁と第一日車歯車部４２との段差部のところにおいて該段差部の外周面に沿って形成された駆動カム部４４とを有する。
【００３５】
第一日車歯車部４２は、中心軸線Ｃのまわりで一方向（文字板５側から見て反時計回り）Ｃ１に回転されるように一方向に向いた３１個の歯部４２ａを有する。第一日車４０のＣ１方向の回転は、第一日車歯車部４２の隣接歯部４２ａ，４２ａ間において躍制動作する躍制爪部３６ａを備えた日ジャンパ３６によって規制される。
【００３６】
駆動カム部４４は、中心Ｃからの半径が最小の円弧に沿った第一カム円弧部４４ａと、中心Ｃからの半径が二番目に小さい円弧に沿った第二カム円弧部４４ｂと、中心Ｃからの半径が三番目に小さい円弧に沿った第三カム円弧部４４ｃと、中心Ｃからの半径が最大の円弧に沿った第四カム円弧部４４ｄとを有する。円弧部４４ａ，４４ｂ，４４ｃ，４４ｄは、夫々、概ね、全周のうちの９／３１，１０／３１，１０／３１，２／３１程度の大きさの角度範囲に沿って拡がり、夫々の間の領域は、傾斜した遷移領域４５ａ，４５ｂ，４５ｃを介してつながっている。なお、第四カム円弧部４４ｄと第一カム円弧部４４ａとの間には、概ね半径方向に延びる境界面ないし段差面４６が形成されている。
【００３７】
第一日車４０は、通常運針時には、時車ないし筒車１１の回転に応じて回転される日回し車３１の日回し爪３１ｂによって第一日車歯車部４２の歯部４２ａで係合されて、一日に一回、Ｃ１方向に３６０／３１度だけ回転される。なお、日修正の際には、巻真６がＡ１方向に引出され、該巻真６の回転が、つづみ車３７及び小鉄車３８を介し、更に、第一日修正車ないし第一カレンダ修正車３２、第二日修正中間車３３ａ、第三日修正中間車３３ｂ、第四日修正中間車３３ｃ及び日修正車３４を介して第一日車４０の第一日車歯車部４２に伝達され、巻真６の回転に応じて第一日車歯車部４２がＣ１方向に回転されて日修正が行われる。
【００３８】
第一日車４０の第一日文字表示部としての第一日文字表示面部４３には、第一日文字４７をなす文字として、「１，２，３，４，５，６，７，８，９，０」の１０個の文字列が三回繰返された後、「１」が付され、全体として３１個の文字４７が、周方向に等間隔に付されている。第一日文字表示面部４３の第一日文字４７は、該文字４７が、時計２の１２時の位置の近傍に達したとき、図６及び図１からわかるように、文字板５の日窓４ａの右半分の領域内において、一の位の日付を表示する。
【００３９】
第一日車４０のうち第一日車歯車部４２は第一日文字表示面部４３よりも裏蓋に近い側に位置する。第一日車４０は、概ね環状の第一日車歯車部４２において、地板１６に取付けられた第一日車押え４９により軽く押えられている。
【００４０】
第二日車５０は、第二の回転中心軸線としての中心軸線Ｃのまわりで回転可能に配置された概ね扇形の扇形板状体ないし第二日板５１と、中心軸線Ｃの近傍において該扇形板状体５１を支持し且つ該扇形板状体５１の一側よりも多少突出した小扇形の歯車部５６を含む第二の扇形歯車部ないし被作動歯車部としての日表示車ないし第二日車歯車部５２とを有し、扇形板状体５１の外周縁近傍には第二日文字表示面部５３が形成されている。ここで、第一及び第二の回転中心軸線は、共通の中心軸線Ｃからなる。
【００４１】
第二日文字表示部としての第二日文字表示面部５３は、周方向間隙５５を介して突出した四つの概ね台形の表示面部５３ａ，５３ｂ，５３ｃ，５３ｄを有し、各第二日文字表示面部５３ａ，５３ｂ，５３ｃ，５３ｄには、第二日文字５４として、「０，１，２，３」の文字が付されている。第二日文字表示面部５３の第二日文字５４は、該文字５４が、時計２の１２時の位置の近傍に達したとき、図６及び図１からわかるように、文字板５の日窓４の左半分の領域内において、十の位の日付を表示する。
【００４２】
第二日車歯車部５２は、筒車１１の大径筒部１１ｅに回転自在に嵌合された扇形の歯車５２ａの形態であって扇５２ｂの円弧状部５２ｃに複数の歯部５６を備える。歯部５６すなわち小扇形歯部５６は、一定のピッチ（大ピッチ）Ｐ１の歯部５７と、該ピッチＰ１と比較して半分のピッチ（小ピッチ）Ｐ２の歯部５８とを含む。小ピッチＰ２の歯部５８は、扇５２ｂの円弧５２ｃの一端（Ｃ１方向の前縁）５２ｄに位置し、円弧５２ｃのうち該端部５２ｄ以外の部分には、大ピッチＰ１の歯部５７が配置されている。
【００４３】
第二日車５０は、通常運針時には、十の位の日付が「０→１」、「１→２」又は「２→３」と変る毎に第二日車歯車部５２において反時計回り回転駆動を受けてＣ１方向に回動され、十の位の日付が「３→０」変る際には第二日車歯車部５２において時計回りの回転駆動を受けてＣ２方向に回動され、文字板５の日窓４の左半分の領域４ａにおいて、十の位の日付を表示する。
【００４４】
第二日車５０の第二日車歯車部５２は文字板５の背後において筒車１１の筒部１１ｃに嵌合された第二日車押え５９により軽く押えられている。
【００４５】
駆動カムレバー６０は、扇形歯車部６１を備えた作動レバー部６２と、該作動レバー部６２に対して概ね直角な向きに延び延在端部の一側部６３ａにカム従節部となる当接突起部６４を備えた従動レバー部６３とを一体的に有し、二つのレバー部６２，６３の結合部の穴部６５において地板１６の突起部１６ａにＢ１，Ｂ２方向に回転自在に取付けられている。作動レバー部６２は、扇形歯車部６１のところに穴部６９を備える。
【００４６】
駆動カムレバー６０の従動レバー部６３の先端の当接突起部６４は、カム従節部として、第一日車４０の駆動カム部４４のカム面４４ａ，４４ｂ，４４ｃ，４４ｄに当接して、当接対象となる該カム面４４ａ，４４ｂ，４４ｃ，４４ｄの半径方向に位置（中心軸線Ｃからの距離）の変化に応じて、Ｂ１，Ｂ２方向に回動される。
【００４７】
駆動カムレバー６０がＢ１，Ｂ２方向に回動されると、該駆動カムレバー６０の作動レバー部６２の扇形歯車部６１もＢ１，Ｂ２方向に回動される。
【００４８】
扇形歯車部６１は、概ね扇形の歯車６１ａの形態であって扇６１ｂの円弧状部６１ｃに歯部６６を備える。歯部６６すなわち扇形に並んだ複数の歯部６６は、一定のピッチ（大ピッチ）Ｐ１の歯部６７と、該ピッチＰ１と比較して半分のピッチ（小ピッチ）Ｐ２の歯部６８とを含む。小ピッチＰ２の歯部６８は、扇６１ｂの円弧６１ｃの一端６１ｄに位置し、円弧６１ｃのうち該端部６１ｄ以外の部分には、大ピッチＰ１の歯部６７が配されている。
【００４９】
駆動カムレバー６０の扇形歯車部６１は、第二日車５０の第二日車歯車部５２と噛合し、駆動カムレバー６０は、Ｂ２方向に偏倚した状態からＢ１方向に回動される際に小ピッチＰ２の歯部６８において第二日車５０の第二日車歯車部５２の小ピッチＰ２の歯部５８と噛合し、Ｂ１方向に更に回動されると、該駆動カムレバー６０の大ピッチＰ１の歯部６７において第二日車５０の第二日車歯車部５２の大ピッチＰ１の歯部５７と噛合する。
【００５０】
回転規制機構７０は、駆動カムレバー６０にＢ２方向の偏倚力を及ぼす機構であって、この例では、第二日車５０の歯車部５２に噛合する歯車部７１及びばねトルク受部７２を備えた回転規制レバー７３と、該回転規制レバー７３にＢ２方向の回動偏倚力を及ぼす弾性手段としての板ばね７６とを有する。
【００５１】
回転規制レバー７３は、更に、突起部７３ａ及び穴部７３ｂを備える。回転規制レバー７３は、突起部７３ａで駆動カムレバー６０の作動レバー部６２の穴部６９に嵌合された状態で、駆動カムレバー６０の作動レバー部６２と共に穴部６５，７３ｂにおいて地板１６の突起部１６ａに嵌合される。従って、回転規制レバー７３は、駆動カムレバー６０と一体的に地板１６の突起部１６ａのまわりで回動可能である。
【００５２】
すなわち、回転規制機構７０は、駆動カムレバー６０にＢ２方向の偏倚力を及ぼしそれにより第二日車５０の第二日車歯車部５２にＣ２方向の偏倚力を及ぼして歯車の噛合いに不可避の僅かなガタに起因して第二日車５０の回転位置がばらついて第二日文字が所望の表示位置からずれないようにする。
【００５３】
この例では、回転規制バー７３の歯車部７１は、駆動カムレバー６０の扇形歯車部６１の大ピッチＰ１の歯部６７と実際上同一形状の歯部と、小ピッチＰ２の歯部６８と実際上同一形状の歯部とを中心軸線Ｃの延在方向に丁度重なり合う状態で有し、駆動カムレバー６０の扇形歯車部６１の大ピッチＰ１の歯部６７が第二日車歯車部５２の大ピッチＰ１の歯部５７に噛合しているときには丁度同じ歯部５７に対して大ピッチＰ１の歯部で噛合し、小ピッチＰ２の歯部６８が第二日車歯車部５２の小ピッチＰ１の歯部５８に噛合しているときには丁度同じ歯部５８に対して小ピッチＰ２の歯部で噛合している。
【００５４】
回転規制機構７０の板ばね７６は、回転規制レバー７３のトルク受部７２にＢ２方向のトルクを加え、これにより、該回転規制レバー７３の歯車部７１に第二日車歯車部５２で噛合した第二日車５０にＣ２方向の偏倚力を及ぼす。
【００５５】
また、第二日車５０の第二日車歯車部５２がＣ２方向に偏倚されるので、これに扇形歯車部６１で噛合した駆動カムレバー６０も、Ｂ２方向に偏倚され、駆動カムレバー６０の従動レバー部６３が先端の当接突起部６４でカム面４４に押し付けられて、ガタなく位置決めされ得る。
【００５６】
なお、この例では、回転規制レバー７３は、軸状突起部１６ａで駆動カムレバー６０と同心に回動可能であるだけでなく、突起部７４で駆動カムレバー６０の穴に嵌合され該駆動カムレバー６０と一体的に動くようになっているので、板ばね７６のＢ２方向の回動偏倚力が、回転規制レバー７３から直接駆動カムレバー６０に加えられるようになっているとみなしてもよい。
【００５７】
以上の如く構成されたアナログ式時計２では、カレンダ機構１を組立てる際には、時計２の指針１１ｄ，１２ｄ，１３ｄの作動に係る基本的な時計輪列を地板１６の主として裏蓋側に組込んだ後、文字板５の配置される側が上になるように図４の状態に地板５を裏返した状態で、地板５に日回し車３１や日修正に係る輪列３３ａ，３３ｂ，３３ｃ，３４等を組込むと共に規制機構７０の板ばね７６等を組込んでおく。
【００５８】
次に、駆動カムレバー６０と回転規制レバー７３とを組合わせたもの６０，７３を、穴部６５，７３ｂが地板１６の突起部１６ａに嵌合するように、且つ回転規制レバー７３のばねトルク受部７２に板ばね７６のばね力がＢ２方向に働くように配設する。
【００５９】
その次に、第一日車４０を、駆動カムレバー６０の従動レバー部６３の当接突起部６４が駆動カム部４４の第一カム円弧部ないし第一カム面４４ａに当接する状態で第一日車歯車部４２が日修正車３４に噛合うように配置する。次に、第一日車押え４９を載せる。
【００６０】
次に、第二日車５０を、その扇形歯車部６１が筒車１１の筒部１１ｅに嵌合され且つその第二日車歯車部５２の歯部５６のうち小ピッチの歯部５８が駆動カムレバー６０の作動レバー部６２の扇形歯車部６１の歯部６６に噛合うように配置する。このとき、第二日車歯車部５２の歯部５６のうち小ピッチの歯部５８と対応する歯部との噛合わせのために多少なりともガタガタさせることになるけれども、小ピッチの歯部５８に噛合うのは、作動レバー部６２の扇形歯車部６１の歯部６６のうち小ピッチの歯部６８に限られるので、作動レバー部６２及び第二日車歯車部５２を概ね所望位置に配置しておいて噛合い位置を多少なりとも探れば、相互に位相の合った位置で噛合わされ、誤りのない所定の噛合いが確実に実現されることになる。
【００６１】
この図示の例のように、典型的には、第二日車５０の第二日車歯車部５２は、第二日板５１の背後（より詳しくは、第二日板５１と第一日車押さえ４９との間）になって見えない状態で噛合わせを行う必要があることから、自動化して機械的に行わせるにしろ、人手で組み立てるにしろ、特定の噛合い以外の噛合いの虞れがある場合には、誤った組立になる虞れが少なからずあるけれども、この場合には、小ピッチの歯部５８，６８同士の噛合いだけが生じるので、扇形歯車部６１と第二日車歯車部５２との間で容易且つ確実に所定の噛合わせを行わせ得、第一及び第二日車４０，５０を所定の回転位相に合わせ得る。
【００６２】
なお、ここで、作動レバー部６２の扇形歯車部６１の歯部６６のうち小ピッチの歯部６８に対して第二日車歯車部５２の歯部５６の対応する歯部を噛合わせることにしてもよい。
【００６３】
いずれの場合であっても、この例では、相互に、位置決めの役割をする小ピッチの歯部５８，６８を噛合わせることによって、相対的な位置決めが同時に行われ得る。
【００６４】
なお、この例の場合、小ピッチの歯部５８，６８が、夫々、Ｂ２方向及びＣ１方向の端部に配置されていることから、駆動カムレバー６０の従動レバー部６３の当接突起部６４が駆動カム部４４の第一カム円弧部ないし第一カム面４４ａに当接する状態で歯部５８，６８の噛合を行わせたけれども、例えば、小ピッチの歯部５８，６８が、夫々、逆方向の端部（Ｂ１方向及びＣ２方向の端部）に配置されている場合には、駆動カムレバー６０の従動レバー部６３の当接突起部６４が駆動カム部４４の第四カム円弧部ないし第一カム面４４ｄに当接する状態で歯部５８，６８の噛合を行わせることになる。
【００６５】
その結果、ビッグデイトの日として、有り得ないような日が表示されてしまうような誤った位置に第一及び第二日車４０，５０が位置決めされるのを確実に避け得る。
【００６６】
以上においては、回転規制レバー７３のトルク受部７２に板ばね７６によってＢ２方向偏倚力が与えられる例について説明したけれども、例えば、トルク受部７２に対応するトルク受部を駆動カムレバー６０に形成しておき、該駆動カムレバー６０のトルク受部に板ばね７６のような弾性手段によってＢ２方向偏倚力を直接加えてもよい。また、回転規制レバー７３を駆動カムレバー６０と重なる状態で形成する代わりに、Ｃ１又はＣ２方向に関して駆動カムレバー６０とは異なる位置に回転規制レバー７３を設け、該回転規制レバー７３のトルク受部７２に板ばね７６と同様な弾性手段によって、第二日車５０の第二日車歯車部５２をＣ２方向に回転させようとする偏倚力を加えるようにしてもよい。その場合，回転規制レバー７３のうち第二日車５０の第二日車歯車部５２に噛合する歯車部は、例えば、大ピッチＰ１の歯部５７に噛合する大ピッチの歯部だけを有していてもよい。
【符号の説明】
【００６７】
１  カレンダ機構
２  アナログ式時計
３  ムーブメント
４  日窓
４ａ  左半分の領域
５  文字板
６  巻真
１１  時車
１１ａ，１１ｂ  歯車
１１ｃ  筒
１１ｄ  時針
１１ｅ  大径筒部
１２  分車
１２ａ  分歯車
１２ｂ  分かな
１２ｃ  筒
１２ｄ  分針
１３  秒車
１３ａ，１３ｂ  歯車
１３ｃ  軸（真）
１３ｄ  秒針
１４  輪列
１４ａ  日の裏車
１４ｂ  三番車
１４ｃ  五番車
１５  中心パイプ
１６  地板
１６ａ  突起部
１７  輪列受
１８  規制レバー
２１  電池
２２  水晶缶
２３  回路ブロック
２３ａ  時計用集積回路
２４  モータ
２４ａ  ステータ
２４ｂ  コイルブロック
２４ｃ  ロータ
２６  電池マイナス端子
２７  回路押え板
３１  日回し車
３１ａ  日回し歯車
３１ｂ  日回し爪
３２  第一日修正車（第一カレンダ修正車）
３３ａ  第二日修正中間車
３３ｂ  第三日修正中間車
３３ｃ  第四日修正中間車
３４  日修正車
３６  日ジャンパ
３６ａ  躍制爪部
３７  つづみ車
３８  小鉄車
４０  第一日車
４１  環状体
４２  第一日車歯車部
４２ａ  歯部
４３  第一日文字表示面部（第一日文字表示部）
４４  駆動カム部
４４ａ  第一カム円弧部（カム面）
４４ｂ  第二カム円弧部（カム面）
４４ｃ  第三カム円弧部（カム面）
４４ｄ  第四カム円弧部（カム面）
４５ａ，４５ｂ，４５ｃ  遷移領域
４６  段差面
４７  第一日文字
４９  第一日車押え
５０  第二日車
５１  第二日板(扇形板状体）
５２  第二日車歯車部（日表示車、被作動歯車部）
５２ａ  扇形の歯車
５２ｂ  扇
５２ｃ  円弧状部
５２ｄ  一端（端部）
５３  第二日文字表示面部（第二日文字表示部）
５３ａ，５３ｂ，５３ｃ，５３ｄ  表示面部
５４  第二日文字
５５  周方向間隙
５６  小扇形に並んだ歯部
５７  大ピッチの歯部
５８  小ピッチの歯部
５９  第二日車押え
６０  駆動カムレバー
６１  扇形歯車部
６１ａ  概ね扇形の歯車
６１ｂ  扇
６１ｃ  円弧状部
６１ｄ  一端（端部）
６２  作動レバー部
６３  従動レバー部
６３ａ  一側部
６４  当接突起部（カム従節部）
６５  穴部
６６  扇形に並んだ歯部
６７  大ピッチの歯部
６８  小ピッチの歯部
６９  穴部
７０  回転規制機構
７１  歯車部
７２  ばねトルク受部
７３  回転規制レバー
７３ａ  突起部
７３ｂ  穴部
７６  板ばね
Ａ１，Ａ２  出入方向
Ｂ１，Ｂ２  回転方向
Ｃ  中心軸線
Ｃ１，Ｃ２  回転方向
Ｐ１  大ピッチ
Ｐ２  小ピッチ
【図１】
2011089847.tif 000003
【図２】
2011089847.tif 000004
【図３】
2011089847.tif 000005
【図４】
2011089847.tif 000006
【図５】
2011089847.tif 000007
【図６】
2011089847.tif 000008